(57)【要約】      （修正有）【課題】移動体の室内の照度を制限できるようにした移動体用照明装置を提供する。【解決手段】移動体の室内に設置する移動体用照明装置であって、複数の照明パネルと、室内照度を検出する照度センサと、前記室内照度の上限値を設定する照度上限値設定部と、移動体の室内に設置した照明パネルを点灯するにあたり、室内の照度が予め設定した上限値よりも小となるように、点灯中の照明パネルの輝度を自動的に調整する。【選択図】図１０
2012221947.tif 000002
【特許請求の範囲】
【請求項１】
移動体の室内に設置する移動体用照明装置であって、
複数の照明パネルと、
室内照度を検出する照度センサと、
前記室内照度の上限値を設定する照度上限値設定部と、
前記室内照度が前記上限値よりも小となるように、点灯中の前記照明パネルの輝度を調整する制御部と、を有することを特徴とする移動体用照明装置。
【請求項２】
前記制御部は、前記室内照度が前記上限値よりも小となるように、点灯中の前記照明パネルの各々を順次消灯させることを特徴とする請求項１記載の移動体用照明装置。
【請求項３】
前記制御部は、点灯開始時点が古い順に前記照明パネルを１つずつ消灯させることを特徴とする請求項２記載の移動体用照明装置。
【発明の詳細な説明】
【技術分野】
【０００１】
本発明は、移動体、特に移動体室内用の移動体用照明装置に関する。
【背景技術】
【０００２】
現在、車両の室内灯として、有機エレクトロルミネセンス発光パネル（以下、ＥＬ発光パネルと称する）をファブリックと基材（又はフォーム層）との間に設置し、このＥＬ発光パネルから発せられた光をファブリック越しに室内に差し向けるように構築されたものが提案されている（例えば、特許文献１参照）。この際、照明パネルとしてのＥＬ発光パネルは、白熱ランプとは異なり放熱を考慮する必要が無いので、例えば車室内のヘッドライナー、ドアパネル、乗物座席（シート）、リヤデッキ、サンバイザ、トランクパネル等に設置することが可能である。
【０００３】
また、このＥＬ発光パネルに、点灯・消灯を切り替える為のタッチセンサを一体化したものが提案されている（例えば、特許文献２参照）。このタッチセンサ一体型のＥＬ発光パネルを、車両の室内灯として必要箇所に夫々設置すれば、車両の搭乗者がＥＬ発光パネルの表面に触れることにより、そのＥＬ発光パネルの点灯・消灯を行うことが可能となる。
【先行技術文献】
【特許文献】
【０００４】
【特許文献１】特表２００３−５２３８９１号公報
【特許文献２】特開平０５−１１４３４２号公報
【発明の概要】
【発明が解決しようとする課題】
【０００５】
本発明は、移動体の室内の照度を制限できるようにした移動体用照明装置を提供することを目的とする。
【課題を解決するための手段】
【０００６】
本発明による移動体用照明装置は、移動体の室内に設置する移動体用照明装置であって、複数の照明パネルと、室内照度を検出する照度センサと、前記室内照度の上限値を設定する照度上限値設定部と、前記室内照度が前記上限値よりも小となるように、点灯中の前記照明パネルの輝度を調整する制御部と、を有する。
【図面の簡単な説明】
【０００７】
【図１】本発明に係る移動体用照明装置の構成を示すブロック図である。
【図２】車両室内における照明パネル２の設置形態の一例を示す図である。
【図３】接触センサ一体型ＥＬパネル２３の概略構造を示す斜視図である。
【図４】接触センサ一体型ＥＬパネル２３におけるタッチセンサパネルＴＰの接触センサ面の区分け領域Ａ１〜Ａ９を示す図である。
【図５】照明制御のメインフローを示すフローチャートである。
【図６】点灯調光調色サブルーチンを示すフローチャートである。
【図７】メモリ１１の記憶内容の概要を示す図である。
【図８】調光調色サブルーチンの一例を示すフローチャートである。
【図９】調光調色サブルーチンの他の一例を示すフローチャートである。
【図１０】照度制限サブルーチンの一例を示すフローチャートである。
【図１１】照明ロックモードサブルーチンの一例を示すフローチャートである。
【発明を実施するための形態】
【０００８】
本発明に係る移動体用照明装置は、移動体の室内に設置した照明パネルを点灯するにあたり、室内の照度が予め設定した上限値よりも小となるように、点灯中の照明パネルの輝度を自動的に調整することにより、室内の照度を制限する。
【実施例】
【０００９】
図１は、本発明に係る移動体用照明装置の構成を示すブロック図である。
【００１０】
尚、移動体としては、車両、電車、航空機、船舶、潜水艦、又は宇宙船等が上げられるが、本実施例では、車両の室内に搭載された場合を一例にとって説明する。
【００１１】
図１において、照明パネル２１〜２ｎ（ｎは２以上の整数）の各々は、例えば図２（ａ）の破線に示す如く、車両室内の運転席のフロントパネル、コンソールボックス及びドアの内張各々の表面、並びに、図２（ｂ）の破線に示す如く車両内の天井面に夫々設置される。照明パネル２１〜２ｎは夫々制御バスＢＵＳを介してコントローラ１に接続されている。更に、コントローラ１には、制御バスＢＵＳを介してメモリ１１、操作部１２、照明パネル２１〜２ｎ各々に対応したタイマ１３１〜１３ｎ、及び照度センサ１４が接続されている。
【００１２】
照明パネル２１〜２ｎの各々は互いに同一の内部構成を有する。
【００１３】
各照明パネル２の点灯消灯スイッチ２１は、制御バスＢＵＳを介してコントローラ１から点灯指令信号が供給された場合にはオン状態となり、電源電圧ＶＬをＥＬ（Ｅｌｅｃｔｒｏ  ｌｕｍｉｎｅｓｃｅｎｃｅ）パネルドライバ２２に供給する。また、点灯消灯スイッチ２１は、制御バスＢＵＳを介してコントローラ１から消灯指令信号が供給された場合にはオフ状態となり、ＥＬパネルドライバ２２への電源電圧ＶＬの供給を停止する。また、点灯消灯スイッチ２１は、制御バスＢＵＳを介してコントローラ１から点灯消灯スイッチ切換指令信号が供給された場合には、その直前までのオン・オフ状態を反転させる。すなわち、オン状態にある際に、点灯消灯スイッチ切換指令信号が供給された場合には、点灯消灯スイッチ２１はオフ状態に切り替わり、ＥＬパネルドライバ２２への電源電圧ＶＬの供給を停止する。一方、オフ状態にある際に点灯消灯スイッチ切換指令信号が供給された場合には、点灯消灯スイッチ２１はオン状態に切り替わり、電源電圧ＶＬをＥＬパネルドライバ２２に供給する。
【００１４】
ＥＬパネルドライバ２２は、点灯消灯スイッチ２１から電源電圧ＶＬが供給されている間だけ、制御バスＢＵＳを介してコントローラ１から供給された各種照明制御信号（後述する）に従って、電源電圧ＶＬに基づき各種発光駆動電圧を生成し、接触センサ一体型ＥＬパネル２３に供給する。
【００１５】
図３は、接触センサ一体型ＥＬパネル２３の概略構造を示す斜視図である。
【００１６】
図３に示すように、接触センサ一体型ＥＬパネル２３は、有機ＥＬ発光パネルＥＬＰの発光面側に透明なタッチセンサパネルＴＰを貼合して構成されたものである。
【００１７】
平面型のＥＬ発光素子としての有機ＥＬ発光パネルＥＬＰは、ＥＬパネルドライバ２２から発光駆動電圧が供給されている間だけ、その発光駆動電圧に応じた発光輝度及び発光色で点灯し、その光をタッチセンサパネルＴＰを介して外部に放出する。尚、有機ＥＬ発光パネルＥＬＰは、この発光駆動電圧が供給されていない場合は消灯状態となる。
【００１８】
タッチセンサパネルＴＰは、図４に示すように、その接触センサ面が複数の領域Ａ１〜Ａ９に区分けされている。タッチセンサパネルＴＰは、接触センサ面に対して接触が為されるとその接触が継続する期間中に亘り、接触が為された位置、つまり領域Ａ１〜Ａ９の内のいずれの領域Ａに接触が為されたかを示す接触位置情報及び照明パネル識別番号を示す接触検知信号ＴＣを生成し、これを制御バスＢＵＳを介してコントローラ１に供給する。尚、照明パネル識別番号は、照明パネル２１〜２ｎの各々に個別に割り当てられているユニークな番号である。
【００１９】
上記した如き構成により、照明パネル２１〜２ｎの各々は、コントローラ１から供給された点灯指令信号に応じて点灯し、消灯指令信号に応じて消灯する。また、コントローラ１から点灯消灯スイッチ切換指令信号が供給された場合には、その直前までの点灯・消灯状態を反転させる。更に、照明パネル２１〜２ｎの各々は、そのタッチセンサパネルＴＰに対して接触が為される度に接触検知信号ＴＣを生成し、これをコントローラ１に送出する。
【００２０】
コントローラ１は、以下の如き照明制御を実行することにより、照明パネル２１〜２ｎ各々の点灯、消灯、輝度、発光色を制御する。
【００２１】
図５は、かかる照明制御のメインフローを示すフローチャートである。
【００２２】
図５において、先ず、コントローラ１は、照明パネル２１〜２ｎに対して点灯、消灯、調光及び調色制御を司る点灯調光調色サブルーチンを実行する（ステップＳ１）。次に、コントローラ１は、照明パネル２１〜２ｎに対して照度制限を施す為の照度制限サブルーチンを実行する（ステップＳ２）。次に、コントローラ１は、照明パネル２１〜２ｎの現時点での状態をロックする為の照明ロックモードサブルーチンを実行する（ステップＳ３）。かかるステップＳ３の実行後、コントローラ１は、上記ステップＳ１に戻ってステップＳ１〜Ｓ３の制御を繰り返し実行する。
【００２３】
図６は、ステップＳ１において実施される点灯調光調色サブルーチンを示すフローチャートである。
【００２４】
図６において、先ず、コントローラ１は、照明パネル２１〜２ｎの内のいずれか１から接触検知信号ＴＣが供給されたか否かの判定を行う（ステップＳ１１）。かかるステップＳ１１において、接触検知信号ＴＣが供給されたと判定された場合、コントローラ１は、以下の如き接触態様判定を実行する（ステップＳ１２）。すなわち、この接触態様判定により、コントローラ１は、所定期間内において断続的に供給された接触検知信号ＴＣの数をカウントし、その数が２回であった場合には［ダブルクリック］、３回であった場合には［トリプルクリック］、４回であった場合には［クワドロクリック］操作が為されたと判定する。そして、その判定結果を示す接触態様データＴＤＴを図７に示す如くメモリ１１に記憶させる。
【００２５】
すなわち、かかる接触態様判定により、照明パネル２のタッチセンサパネルＴＰに対して、車両搭乗者が、所定期間内にその指先を２回だけ断続的に接触させる［ダブルクリック］、３回だけ断続的に接触させる［トリプルクリック］、４回だけ断続的に接触させる［クワドロクリック］の内のいずれの接触態様で接触したのかを判定する。
【００２６】
この接触態様判定の実行後、コントローラ１は、メモリ１１に記憶された接触態様データＴＤＴが［ダブルクリック］を示すか否かを判定する（ステップＳ１３）。ステップＳ１３において、接触態様データＴＤＴが［ダブルクリック］を示すと判定された場合、コントローラ１は、図７に示す如くメモリ１１に記憶されている自動消灯中フラグＦ１〜Ｆｎの内で、上記した接触検知信号ＴＣの送出を行った照明パネル２（以降、照明パネル２Ｋと称する）に対応した自動消灯中フラグＦＫが自動消灯中であることを示す論理レベル１であるか否かを判定する（ステップＳ１４）。かかるステップＳ１４において、自動消灯中フラグＦＫが論理レベル０であると判定されると、コントローラ１は、照明パネル２Ｋに対して点灯消灯スイッチ切換指令信号を送出する（ステップＳ１５）。かかる点灯消灯スイッチ切換指令信号に応じて、この照明パネル２Ｋの点灯消灯スイッチ２１は、その直前までのオン・オフ状態を反転させる。すなわち、オン状態にある際に点灯消灯スイッチ切換指令信号が供給された場合には、点灯消灯スイッチ２１はオフ状態に切り替わり、ＥＬパネルドライバ２２への電源電圧ＶＬの供給を停止する。これにより、照明パネル２Ｋは消灯状態に遷移する。一方、点灯消灯スイッチ２１がオフ状態にある際に点灯消灯スイッチ切換指令信号が供給された場合には、この点灯消灯スイッチ２１はオン状態に切り替わり、電源電圧ＶＬをＥＬパネルドライバ２２に供給する。これにより、照明パネル２Ｋは点灯状態に遷移する。
【００２７】
すなわち、ステップＳ１５の実行により、照明パネル２Ｋは、その直前まで消灯状態にあった場合には点灯状態に遷移し、点灯状態にあった場合には消灯状態に遷移する。
【００２８】
次に、コントローラ１は、この照明パネル２Ｋが点灯状態にあるか否かを判定する（ステップＳ１６）。かかるステップＳ１６において、照明パネル２Ｋが点灯状態にあると判定された場合、コントローラ１は、後述するが如き調光調色サブルーチンの実行に移る（ステップＳ１７）。かかるステップＳ１７の実行後、次に、コントローラ１は、タイマ１３１〜１３ｎ各々の内で、照明パネル２Ｋに対応したタイマ１３Ｋの時間計時を開始させる（ステップＳ１８）。ステップＳ１８の実行後、又はステップＳ１１にて接触検知信号ＴＣが供給されていないと判定された場合、次に、コントローラ１は、このタイマ１３Ｋの計時時間が所定の自動消灯期間ＴＱを超えたか否かの判定を行う（ステップＳ１９）。かかるステップＳ１９において、タイマ１３Ｋの計時時間が自動消灯期間ＴＱを超えていないと判定された場合、コントローラ１は、次に、このタイマ１３Ｋの計時時間が自動消灯開始時間ＴＳＴを超えたか否かの判定を行う（ステップＳ２０）。かかるステップＳ２０において、タイマ１３Ｋの計時時間が自動消灯開始時間ＴＳＴを超えたと判定された場合、コントローラ１は、期間（ＴＱ−ＴＳＴ）を掛けて徐々に照明パネル２Ｋの発光輝度を低下させて消灯状態に到らせるべき自動消灯指令信号を照明パネル２Ｋに供給する（ステップＳ２１）。この自動消灯指令信号に応じて、照明パネル２ＫのＥＬパネルドライバ２２は、所定期間を掛けて徐々にその電圧値が低下して０ボルトに到る発光駆動電圧を、有機ＥＬ発光パネルＥＬＰに供給する。かかるステップＳ２１の実行後、コントローラ１は、照明パネル２Ｋが自動消灯中であることを示す論理レベル１の自動消灯中フラグＦＫをメモリ１１に記憶させる（ステップＳ２２）。
【００２９】
また、上記ステップＳ１４において自動消灯中フラグＦＫが論理レベル１であると判定された場合、つまり、自動消灯中の照明パネル２に対して［ダブルクリック］が為された場合、コントローラ１は、照明パネル２１〜２ｎの内で点灯状態にある照明パネル２の各々に対して自動消灯停止指令信号を送出する（ステップＳ２３）。かかるステップＳ２３の実行により、点灯状態にある照明パネル２のＥＬパネルドライバ２２は、有機ＥＬ発光パネルＥＬＰに供給すべき発光駆動電圧の低下動作を停止する。ステップＳ２３の実行後、コントローラ１は、点灯状態にある照明パネル２の各々に対して最大輝度発光指令信号を送出する（ステップＳ２４）。かかるステップＳ２４の実行により、点灯状態にある照明パネル２のＥＬパネルドライバ２２は、有機ＥＬ発光パネルＥＬＰを最大輝度で発光させるべき最大の発光駆動電圧を有機ＥＬ発光パネルＥＬＰに固定供給する。かかるステップＳ２４の実行後、コントローラ１は、点灯状態にある照明パネル２のタイマ１３１〜１３ｎの計時時間を初期値に戻してその時間計時動作を再開する（ステップＳ２５）。尚、上記ステップＳ１９においてタイマ１３Ｋの計時時間が自動消灯期間ＴＱを超えたと判定された場合、つまり照明パネル２が消灯した場合、又は上記ステップＳ１６において照明パネル２Ｋが点灯状態にはないと判定された場合、コントローラ１は、タイマ１３Ｋの計時時間を初期値に戻しその計時動作を終了させる（ステップＳ２６）。次に、コントローラ１は、照明パネル２Ｋが自動消灯中ではないことを示す論理レベル０の自動消灯中フラグＦＫをメモリ１１に記憶させる（ステップＳ２７）。
【００３０】
また、上記ステップＳ１３において、接触態様データＴＤＴが［ダブルクリック］を示さないと判定された場合、コントローラ１は、この接触態様データＴＤＴが［トリプルクリック］を示すか否かを判定する（ステップＳ２８）。かかるステップＳ２８において、接触態様データＴＤＴが［トリプルクリック］を示すと判定された場合、コントローラ１は、全ての照明パネル２１〜２ｎに対して消灯指令信号を送出する（ステップＳ２９）。かかるステップＳ２９の実行により、全ての照明パネル２１〜２ｎ各々の点灯消灯スイッチ２１はオフ状態となり、ＥＬパネルドライバ２２に対する電源電圧ＶＬの供給を停止する。よって、全ての照明パネル２１〜２ｎが消灯状態となる。
【００３１】
次に、コントローラ１は、全てのタイマ１３１〜１３Ｋの計時時間を初期値に戻しその計時動作を全て終了させる（ステップＳ３０）。次に、コントローラ１は、全ての照明パネル２が自動消灯中ではないことを示す論理レベル０の自動消灯中フラグＦ１〜ＦＫをメモリ１１に記憶させる（ステップＳ３１）。
【００３２】
また、上記ステップＳ２８において、接触態様データＴＤＴが［トリプルクリック］を示さないと判定された場合、コントローラ１は、この接触態様データＴＤＴが［クワドロクリック］を示すか否かを判定する（ステップＳ３２）。かかるステップＳ３２において、接触態様データＴＤＴが［クワドロクリック］を示すと判定された場合、コントローラ１は、図７に示す如くメモリ１１に記憶されている点灯指定データＬＧ１〜ＬＧｎの内で照明パネル２Ｋに対応した点灯指定データＬＧＫが、点灯指定されていることを示すか否かを判定する（ステップＳ３３）。尚、点灯指定データＬＧ１〜ＬＧｎの各々は、照明パネル２１〜２ｎ各々の内で、［クワドロクリック］に応じて同時に点灯させるべき照明パネル２を指定するものであり、操作部１２によって任意に設定可能である。例えば、［クワドロクリック］に応じて照明パネル２１及び２５を同時に点灯させる為には、操作部１２によって、照明パネル２１に対応した点灯指定データＬＧ１及び照明パネル２５に対応した点灯指定データＬＧ５を論理レベル１に設定する。上記ステップＳ３３において、点灯指定データＬＧＫが点灯指定されていることを示すと判定された場合、コントローラ１は、照明パネル２Ｋに対して点灯指令信号を送出する（ステップＳ３４）。かかるステップＳ３４の実行により、照明パネル２Ｋの点灯消灯スイッチ２１はオン状態となり、電源電圧ＶＬをＥＬパネルドライバ２２に供給する。これにより、照明パネル２Ｋが点灯する。
【００３３】
かかるステップＳ３４の実行後、コントローラ１は、上記ステップＳ１８の実行に移る。
【００３４】
また、上記ステップＳ３２において接触態様データＴＤＴが［クワドロクリック］を示さないと判定された場合、つまり、［ダブルクリック］、［トリプルクリック］、［クワドロクリック］のいずれもが為されていないと判定された場合、コントローラ１は、上記ステップＳ１９の実行に移る。また、上記ステップＳ３３において、点灯指定データＬＧＫが点灯指定されていないことを示すと判定された場合、コントローラ１は、上記ステップＳ１９の実行に移る。
【００３５】
ここで、上記ステップＳ２２、Ｓ２５、Ｓ２７又はＳ３１の実行後、或いは上記ステップＳ２０においてタイマ１３Ｋの計時時間が自動消灯開始時間ＴＳＴを超えていないと判定された場合、コントローラ１は、図６に示す点灯調光調色サブルーチンを抜けて図５に示すメインフローに戻る。
【００３６】
以上の如く、図６に示される点灯調光調色制御によれば、車両搭乗者が図２（ａ）又は図２（ｂ）の如く車両内に設置されている複数の照明パネル２１〜２ｎの内の１の接触センサ面を［ダブルクリック］すると、その照明パネル２が点灯し、その後、再び［ダブルクリック］すると消灯状態となる（Ｓ１３〜Ｓ１５）。
【００３７】
又、車両搭乗者が照明パネル２１〜２ｎの内の１の接触センサ面を［トリプルクリック］すると、点灯状態にある全ての照明パネル２１〜２ｎが消灯状態となる（Ｓ２８、Ｓ２９）。よって、点灯状態にある全ての照明パネル２を消灯させる場合には、この点灯状態にある照明パネル２の各々を個別に［ダブルクリック］せずとも、車両搭乗者の身近に設置されている照明パネル２を１つだけ［トリプルクリック］するだけで全ての照明パネル２を一斉に消灯させることが可能となる。
【００３８】
又、車両搭乗者が、照明パネル２１〜２ｎの内の１の接触センサ面を［クワドロクリック］すると、照明パネル２１〜２ｎ各々の内で予め指定したおいた照明パネル２の各々が一括して点灯状態になる（Ｓ３２〜Ｓ３４）。これにより、例えば室内の床に落下してしまった落下物を探す場合には、ダッシュボードに設置されている照明パネル２の接触センサ面を［クワドロクリック］するだけで、図２（ａ）に示す如く運転者側のドア及び助手席側のドアに夫々設置されている２つの照明パネル２を同時に点灯させることが可能となる。
【００３９】
また、照明パネル２１〜２ｎの各々は、その点灯後、予め設定されている自動消灯期間ＴＱが経過すると自動的に消灯する（Ｓ１８〜Ｓ２１）。これにより、消し忘れを防止することが可能となる。尚、照明パネル２を消灯するにあたり瞬時に消灯するのではなく、徐々に発光輝度を低下させるようにしている（Ｓ２１）。この際、輝度の低下期間中（自動消灯中フラグＦが論理レベル１である間中）に、その照明パネル２の接触センサ面を［ダブルクリック］すると、再び通常の点灯状態、つまり最高輝度での点灯状態に復帰する（Ｓ１４、Ｓ２３〜Ｓ２５）。よって、輝度が徐々に低下することにより、車両の搭乗者は自動消灯していることがわかる為、この間、必要ならば照明パネル２の接触センサ面を［ダブルクリック］することにより、点灯状態に復帰させることが可能となる。なお、自動消灯期間ＴＱを大きな値に設定(例えば無限大)することで、実質的に自動消灯を機能しないようにすることも可能である。
【００４０】
また、図６に示すステップＳ１７による調光調色処理により、調光機能及び調色機能を有する照明パネル２の接触センサ面に対する接触操作により、発光輝度の調整及び発光色の調整が為される。
【００４１】
図８は、かかる調光調色処理を担う調光調色サブルーチンの一例を示すフローチャートである。
【００４２】
図８において、先ず、コントローラ１は、［ダブルクリック］における第２回目の接触センサ面への接触に対応した接触検知信号ＴＣが所定期間以上に亘り継続して供給されているか否かを判定する（ステップＳ１７１）。ステップＳ１７１において、接触検知信号ＴＣが所定期間以上に亘り継続して供給されている、すなわち、照明パネル２Ｋの接触センサ面が長押しされていると判定された場合、コントローラ１は、発光輝度を所定輝度分だけ高く又は低くさせるべき輝度増加指令信号又は輝度低下指令信号をこの照明パネル２Ｋに供給する（ステップＳ１７２）。かかる輝度増加指令信号又は輝度低下指令信号に応じて、照明パネル２ＫのＥＬパネルドライバ２２は、有機ＥＬ発光パネルＥＬＰに供給している発光駆動電圧の電圧値を所定値だけ増加又は低下する。これにより、照明パネル２Ｋの発光輝度が増加又は低下する。ステップＳ１７２の実行後、コントローラ１は、接触検知信号ＴＣが供給されなくなったか否かを判定する（ステップＳ１７３）。ステップＳ１７３において、接触検知信号ＴＣが引き続き供給されていると判定された場合、つまり照明パネル２Ｋの接触センサ面に対する長押しが継続していると判定された場合、コントローラ１は、上記ステップＳ１７２の実行に戻り、前述した如き動作を繰り返し実行する。ステップＳ１７２における輝度増加および輝度低下は、例えば以下の如き処理１〜４を繰り返すことによって行われる。
【００４３】
処理１：最大輝度に達するまで輝度を徐々に増加させる。
【００４４】
処理２：最大輝度に達すると輝度の変化方向をマイナス（輝度低下）に設定する。
【００４５】
処理３：最低輝度に達するまで輝度を徐々に低下させる。
【００４６】
処理４：最低輝度に達すると輝度の変化をプラス（輝度増加）に設定する。
【００４７】
ここで、上記ステップＳ１７３において接触検知信号ＴＣの供給が為されなくなったと判定された場合、又は上記ステップＳ１７１において接触検知信号ＴＣが所定期間以上に亘り継続して供給されていないと判定された場合、コントローラ１は、この調光調色サブルーチンを抜けて図６に示すステップＳ１８の実行に戻る。
【００４８】
よって、図８に示される調光調色サブルーチンによれば、照明パネル２Ｋの接触センサ面に指先が継続して接触している、いわゆる長押しが為されている間に亘り、この照明パネル２Ｋの発光輝度が徐々に増加又は低下する。この際、照明パネル２Ｋは、その接触センサ面から指先が離れた際の発光輝度を維持した状態で発光する。尚、照明パネル２Ｋの接触センサ面に対する長押し接触操作に代えて、所定期間あたりＮ回（Ｎは２以上の自然数）の断続的な接触センサ面に対する接触操作自体を繰り返し実行することにより、上記した如き発光輝度の変更を行うようにしても良い。この際、発光輝度が最大輝度になった後に、再びＮ回分の断続的な接触センサ面に対する接触操作が為されたときに、この照明パネル２を消灯状態にする。
【００４９】
尚、上記ステップＳ１７２及びＳ１７３の繰り返し実行によれば、照明パネル２Ｋの発光輝度が段階敵に増加又は低下するが、発光色を段階敵に変化させるようにしても良い。例えば、上記ステップＳ１７２において、コントローラ１は、発光色を「白」、「赤」、「橙」、「黄」、「緑」、「青」、「藍」、「紫」、「白」の如く巡回させて段階敵に変化させるべき発光色変化信号をこの照明パネル２Ｋに供給する。これにより、照明パネル２Ｋの接触センサ面に対して長押しが為されている間に亘り、この照明パネル２Ｋの発光色が、「白」、「赤」、「橙」、「黄」、「緑」、「青」、「藍」、「紫」の順に変化してゆく。この際、照明パネル２Ｋは、その接触センサ面に対する長押しが終了した時点の発光色を維持した状態で発光を継続する。これにより、好みの発光色を容易な操作で選択することが可能となる。尚、照明パネル２Ｋの接触センサ面に対する長押し接触操作に代えて、所定期間あたりＮ回（Ｎは２以上の自然数）の断続的な接触センサ面に対する接触操作自体を繰り返し実行することにより、上記した如き発光色の変更を行うようにしても良い。
【００５０】
又、ステップＳ１７での調光調色処理としては、図８に示す調光調色サブルーチンに代えて、図９に示す如き調光調色サブルーチンを実行するようにしても良い。
【００５１】
図９において、先ず、コントローラ１は、［ダブルクリック］における第２回目の接触センサ面への接触に対応した接触検知信号ＴＣが所定期間以上に亘り継続して供給されているか否かを判定する（ステップＳ２７１）。ステップＳ２７１において、接触検知信号ＴＣが所定期間以上に亘り継続して供給されている、つまり長押しが為されていると判定された場合、コントローラ１は、接触検知信号ＴＣに基づき、その接触位置が図４に示す如き接触センサ面の領域Ａ１〜Ａ９のいずれの領域であるのかを検出する（ステップＳ２７２）。次に、コントローラ１は、図７に示す如くメモリ１１の接触位置発光色対応マップ領域に記憶されている接触位置発光色対応マップに従って、接触検知信号ＴＣにて示される接触位置（領域Ａ１〜Ａ９）に対応した発光色を求め、その発光色を指定する発光色指定信号を照明パネル２Ｋに供給する（ステップＳ２７３）。ステップＳ２７３の実行により、照明パネル２ＫのＥＬパネルドライバ２２は、かかる発光色指定信号にて指定された発光色で発光させるべき発光駆動電圧を有機ＥＬ発光パネルＥＬＰに供給する。よって、この際、照明パネル２Ｋは、上記した発光色指定信号にて指定された発光色で発光する。尚、接触位置発光色対応マップでは、例えばＣＩＥ（Ｃｏｍｍｉｓｓｉｏｎ  Ｉｎｔｅｒｎａｔｉｏｎａｌｅ  ｄｅ  ｌ  ’Ｅｃｌａｉｒａｇｅ）が定めた色度図の形態にて図４に示す如き接触センサ面の領域Ａ１〜Ａ９各々に、各発光色が対応付けされている。上記ステップＳ２７３の実行後、コントローラ１は、接触検知信号ＴＣが供給されなくなったか否かを判定する（ステップＳ２７４）。ステップＳ２７４において、接触検知信号ＴＣが引き続き供給されていると判定された場合、つまり長押しが継続していると判定された場合、コントローラ１は、上記ステップＳ２７２の実行に戻り、前述した如き動作を繰り返し実行する。上記ステップＳ２７４において接触検知信号ＴＣの供給が為されなくなったと判定された場合、又は上記ステップＳ２７１において接触検知信号ＴＣが所定期間以上に亘り継続して供給されていないと判定された場合、コントローラ１は、この調光調色サブルーチンを抜けて図６に示すステップＳ１８の実行に戻る。
【００５２】
図９に示される調光調色サブルーチンによれば、照明パネル２Ｋの接触センサ面に対する長押しが為されている間に亘り、その接触位置に対応した発光色で照明パネル２Ｋが発光する。この際、照明パネル２Ｋは、その接触センサ面から指先が離れた際の接触位置に対応した発光色を維持した状態で発光を継続する。
【００５３】
よって、照明パネル２Ｋの接触センサ面に対する接触位置を移動させることにより発光色を変更することができるので、好みの発光色を容易な操作で選択することが可能となる。
【００５４】
以上の如く、図６に示される点灯調光調色制御（ステップＳ１）では、照明パネルのタッチセンサに対する接触態様が所定期間内において２回以上の接触が断続的に為される所定の断続接触（２〜４クリック）であるか否かを判定し、この断続接触であると判定された場合にだけ照明パネルの点灯、消灯、調光及び調色を行うようにしている。これにより、照明パネル２の表面に誤って搭乗者の指が接触してしまっても、その接触は受け付けられない。よって、車両搭乗者の意図した操作のみを受け付けて照明パネル２を点灯、消灯、調光、調色制御することが可能となる。
【００５５】
かかる点灯調光調色制御の実行後、コントローラ１は、照度制限サブルーチンを実行する（ステップＳ２）。この際、予め操作部１２によって任意の照度上限値を入力しておく。これにより、入力された照度上限値の値を示す照度上限値ＹＬが図７に示す如くメモリ１１に記憶される。
【００５６】
図１０は、照度制限サブルーチンの一例を示すフローチャートである。
【００５７】
図１０において、先ず、コントローラ１は、照度センサ１４によって検出された室内照度が上記した照度上限値ＹＬより大であるか否かを判定する（ステップＳ３７１）。このステップＳ３７１において、室内照度が照度上限値ＹＬより大であると判定された場合、コントローラ１は、図示せぬ車両走行制御システムから供給された車両パーキング信号、又はサイドブレーキ信号に基づき、車両が走行中であるか否かを判定する（ステップＳ３７２）。ステップＳ３７２において、車両が走行中であると判定された場合、コントローラ１は、現在点灯状態となっている照明パネル２ｎ各々の内で、その照明パネル２に対応したタイマ１３の計時時間が最も大なる照明パネル２に対して消灯指令信号を送出する（ステップＳ３７３）。ステップＳ３７３の実行により、照明パネル２が１つ消灯するので室内照度が低下する。上記ステップＳ３７３の実行後、コントローラ１は、上記したステップＳ３７１の実行に戻って前述した如き動作を繰り返し実行する。この間、ステップＳ３７１において室内照度が照度上限値ＹＬより小であると判定された場合、又はステップＳ３７２において車両が走行中ではない、つまり停車中であると判定された場合、コントローラ１は、この照度制限サブルーチンを抜けて図５に示すステップＳ３の実行に移る。すなわち、ステップＳ３７１〜Ｓ３７３の繰り返し実行により、室内照度が照度上限値ＹＬより小となるまで、点灯開始時点が古い照明パネル２の順に１つずつ消灯してゆくのである。尚、ステップＳ３７３では、照明パネル２を消灯させているが、これに代えて点灯状態にある照明パネル２各々の発光輝度を所定輝度分だけ一斉に低下させるようにしても良い。
【００５８】
このように、図１０に示す照度制限サブルーチンの実行によれば、車両走行中の室内照度が所定の照度上限値よりも高くならないように、自動的に、点灯状態となる照明パネル２の数を減らす、又は点灯中の全ての照明パネル２の輝度を低下させるべき照度制限処理が為される。なお、各照明パネル２１〜２ｎを点灯させたときの照度データが、予め計測するなどしてメモリに記録されている場合は、点灯している複数の照明パネルによる照度が計算で求まるため、照度センサ１４は無くても良い。
【００５９】
かかる照度制限の実行後、コントローラ１は、現時点での各照明パネル２の点灯・消灯状態をロック、つまり、各照明パネル２のタッチセンサパネルＴＰに対する接触操作を無効にする為の照明ロックモードサブルーチンを実行する（ステップＳ３）。
【００６０】
図１１は、かかる照明ロックモードサブルーチンの一例を示すフローチャートである。
【００６１】
図１１において、先ず、コントローラ１は、照明パネル２１〜２ｎの内のいずれか１から接触検知信号ＴＣが供給されたか否かの判定を行う（ステップＳ４７１）。かかるステップＳ４７１において、接触検知信号ＴＣが供給されたと判定された場合、コントローラ１は、以下の如き接触態様判定を実行する（ステップＳ４７２）。かかる接触態様判定により、コントローラ１は、所定期間内に供給された接触検知信号ＴＣの数をカウントし、その数が５回であった場合には［５クリック］、６回であった場合には［６クリック］が為されたと判定し、その判定結果を示す接触態様データＴＤＴを図７に示す如くメモリ１１に記憶させる。すなわち、照明パネル２１〜２ｎ各々の内のいずれか１の照明パネル２のタッチセンサパネルＴＰに対して、車両搭乗者がその指先を、所定期間内に５回だけ断続的に接触する［５クリック］、又は６回だけ断続的に接触する［６クリック］の内のいずれの接触態様で接触を行ったのかを判定するのである。この際、車両搭乗者は、各照明パネル２の点灯・消灯状態をロックする照明ロックモードをオンにする場合には、照明パネル２１〜２ｎ各々の内のいずれか１のタッチセンサパネルＴＰに対して上記した如き［５クリック］操作を行う。また、照明ロックモードを解除する場合には、車両搭乗者は、上記した如き［６クリック］操作を行う。上記ステップＳ４７２の実行後、コントローラ１は、メモリ１１に記憶された接触態様データＴＤＴが［５クリック］を示すか否かを判定する（ステップＳ４７３）。ステップＳ４７３において接触態様データＴＤＴが［５クリック］を示すと判定された場合、コントローラ１は、上記した［ダブルクリック］、［トリプルクリック］、及び［クワドロクリック］の受け付けをマスク、すなわち点灯消灯操作を担う接触態様の操作に対してその受け付けをマスクする（ステップＳ４７４）。かかるステップＳ４７４の実行により、コントローラ１は、車両の搭乗者によって［ダブルクリック］、［トリプルクリック］、又は［クワドロクリック］が為されても、これらの操作が為されなかったと判定する状態となる。一方、上記ステップＳ４７３において接触態様データＴＤＴが［５クリック］を示さないと判定された場合、コントローラ１は、この接触態様データＴＤＴが［６クリック］を示すか否かを判定する（ステップＳ４７５）。かかるステップＳ４７５において接触態様データＴＤＴが［６クリック］を示すと判定された場合、コントローラ１は、上記した［ダブルクリック］、［トリプルクリック］、及び［クワドロクリック］の受け付けマスク状態を解除する（ステップＳ４７６）。かかるステップＳ４７６又はＳ４７４の実行後、又は、ステップＳ４７５において接触態様データＴＤＴが［６クリック］を示さないと判定された場合、或いは上記Ｓ４７１において接触検知信号ＴＣが供給されていないと判定された場合、コントローラ１は、この照明ロックモードサブルーチンを抜けて図５に示すステップＳ１の実行に移る。
【００６２】
このように、図１１に示す照明ロックモードサブルーチンの実行によれば、車両搭乗者が、照明パネル２１〜２ｎ各々の内のいずれか１の照明パネル２のタッチセンサパネルＴＰに対して［５クリック］することにより、その後の［ダブルクリック］、［トリプルクリック］及び［クワドロクリック］を受け付けない、照明ロックモードになる。照明ロックモードでは、照明パネル２を点灯・消灯させる為の［ダブルクリック］、［トリプルクリック］及び［クワドロクリック］操作が無効となるので、意図しない照明パネル２への接触、又は子供のいたずら等を防止することが可能となる。尚、予め操作部１２によってロック対象とすべき照明パネル２を設定しておき、照明ロックモード時には、このロック対象に設定されている照明パネル２だけを、搭乗者による［ダブルクリック］、［トリプルクリック］及び［クワドロクリック］の受け付け禁止状態にするようにしても良い。
【００６３】
また、上記実施例においては、各照明パネル２の点灯・消灯操作をタッチセンサパネルＴＰによって行うようにしているが、このタッチセンサパネルＴＰに代えてプッシュスイッチやトグルスイッチを採用しても良い。これにより、［ダブルクリック］の如き繊細な操作を行うことなく、照明パネル２の点灯・消灯を行うことが可能となる。
【００６４】
また、上記実施例では、点灯・消灯状態の反転を第１の接触態様である［ダブルクリック］、全照明パネルの一斉消灯を第２の接触態様である［トリプルクリック］、予め指定した照明パネルの一斉点灯を第３の接触態様である［クワドロクリック］、調光・調色を第４の接触態様である［長押し］で実行するようにしている。
【００６５】
しかしながら、第１〜第３の接触態様としては、上記した如き［ダブルクリック］、［トリプルクリック］、［クワドロクリック］に限定されない。例えば、所定期間内に指先がＮ回（Ｎは２以上の自然数）だけ断続的に接触する操作を第１接触態様、Ｍ回（Ｍ≠Ｎ）だけ断続的に接触させる操作を第２接触態様、Ｎ及びＬ回（Ｌ≠Ｍ、Ｌ≠Ｎ）だけ断続的に接触させる操作を第３接触態様としても良い。又、［長押し］に代えて、所定期間内に指先がＳ回（Ｓ≠Ｍ、Ｓ≠Ｎ、Ｓ≠Ｌ）だけ断続的に接触する操作を第４接触態様としても良い。更に、これら第１〜第４の接触態様の各々としては、所定期間内に指先が複数回だけ断続的に接触する［クリック］操作と、［長押し］操作との組み合わせによる夫々異なる接触パターンを採用しても良い。例えば、特定接触パターンとしては、［クリック］操作、［長押し］操作の順（又はその逆順）に各操作を連続して行うもの以外にも、［クリック］操作、［長押し］操作、［クリック］操作、或いは［長押し］操作、［クリック］操作、［長押し］操作の順に３つ以上の操作を連続して行うものであっても良い。
【符号の説明】
【００６６】
１        コントローラ
２１〜２ｎ  照明パネル
２１      点灯消灯スイッチ
ＥＬＰ    有機ＥＬ発光パネル
ＴＰ      タッチセンサパネル
【図１】
2012221947.tif 000003
【図２】
2012221947.tif 000004
【図３】
2012221947.tif 000005
【図４】
2012221947.tif 000006
【図５】
2012221947.tif 000007
【図６】
2012221947.tif 000008
【図７】
2012221947.tif 000009
【図８】
2012221947.tif 000010
【図９】
2012221947.tif 000011
【図１０】
2012221947.tif 000012
【図１１】
2012221947.tif 000013